(57)【特許請求の範囲】
【請求項１】
略断面Ｌ字状の水切りと、略断面を垂直な固定部と該固定部の下端を外方に略水平に突出した載置面と、該載置面の先端を下方に垂下し一定ピッチで流水孔を複数個形成した垂下面と、該垂下面の下端近傍を外方に屈曲して突出した係合部とからなり、前記係合部には係合爪、先端には上方に突出した突出面を形成した敷目板と、略断面を垂直な化粧面と該化粧面の略中央近傍を外方に突出した係止部とからなり、前記係止部には係止爪を形成した長尺状の金属製の化粧カバーとを備え、壁下地に対し水切りと敷目板を固定具を介して固定し、係合部の上に乾式壁材の下端部を配し、化粧カバーの係止部を敷目板の係合部に係止して係合爪と係止爪の係合により一体化したことを特徴とする端部構造。
【発明の詳細な説明】
【０００１】
【産業上の利用分野】
本発明は縦張り用の乾式壁材の窓上水切り、中間水切り、土台水切り、等として使用し、壁体の防水性、外観の美観性、等を強化する端部構造に関するものである。
【０００２】
【従来の技術】
従来のこの種端部構造としては▲１▼実開平２−４３３４０号公報、▲２▼実開平３−２９６０６号公報、▲３▼実開平３−４７９０４号公報、▲４▼実開平４−１３７１０５号公報、および▲５▼実開平６−２０６１２号公報、▲６▼実開平７−１１６０８号公報、等が知られている。
【０００３】
【発明が解決しようとする課題】
しかしながら、上記の▲１▼〜▲４▼の構造では上部の乾式壁材の下端部を被覆しておらず、施工後に下端部が露出し、美観性に劣り、かつ、下端部を固定した固定具が露出してしまう欠点があった。また、▲５▼、▲６▼は乾式壁材の下端部を被覆しているが、▲５▼は外枠に水抜孔を形成しているために錆が発生する危険性があると共に、係合力に欠け、剥落の危険性があった。さらに、▲５▼、▲６▼では上部の乾式壁材の表面側から雨水が浸入した場合に、表面材と裏面材間に合成樹脂発泡体よりなる芯材を形成した乾式壁材を使用した場合に、下端部の木口から芯材が吸水してしまう欠点があった。
【０００４】
【課題を解決するための手段】
本発明はこのような欠点を除去するため、窓上部分、中間水切り部分、あるいは土台部分の壁下地に、略断面Ｌ字状の水切りと、略断面を垂直な固定部と固定部の下端近傍を外方に屈曲して突出した係合部とからなり、前記係合部には係合爪、先端には上方に突出した突出面を形成し、かつ、固定部と係合部間に流水孔を複数個形成した敷目板と、略断面を垂直な化粧面と化粧面の略中央近傍を外方に突出した係止部とからなり、前記係止部には係止爪を形成した長尺状の金属製の化粧カバーとを備え、壁下地に対し水切りと敷目板を固定具を介して固定し、係合部の上に乾式壁材の下端部を配し、化粧カバーの係止部を敷目板の係合部に係止して係合爪と係止爪の係合により一体化して上部の乾式壁材の端部を被覆し、万が一雨水が化粧カバー内に浸入しても敷目板の流水孔により外部へ速やかに排出し、防水性、美観性に優れた端部構造を提案するものである。
【０００５】
【実施例】
以下に図面を用いて本発明に係る端部構造の一実施例について詳細に説明する。すなわち、図１は上記構造の例えば窓上部分を示す説明図であり、水切りＡ、敷目板Ｃと化粧カバーＤよりなる端部材Ｂ、乾式壁材Ｅ、壁下地α、固定具βよりなり、壁下地α上に敷目板Ｃを固定し、敷目板Ｃの固定部１上に金属系サイディング材、金属板、断熱パネル、ＡＬＣ板、ＰＣ板、窯業系サイディング材、等よりなる乾式壁材Ｅの端部を載置して固定し、敷目板Ｃに弾性のある化粧カバーＤを乾式壁材Ｅの厚さに対応して係合し、乾式壁材Ｅの下端部表面間を覆うと共に、敷目板Ｃと化粧カバーＤとで乾式壁材Ｅを弾力下で挟持し、かつ乾式壁材Ｅの下端部表面から内部に漏水した雨水等を敷目板Ｃに形成した複数個の流水孔１０により外部へ排出する構造としたものである。
【０００６】
さらに説明すると、壁下地αとは主柱、間柱、胴縁、防水シート等の木造下地等の躯体、あるいはＨ型鋼、リップ溝型鋼等の鉄骨下地等の躯体からなり、乾式壁材Ｅを釘等の固定具βを介して固定し、外壁を構成するものである。
【０００７】
水切りＡは端部材Ｂの下地板として機能し、敷目板Ｃから流れ出る雨水等が躯体内部に浸入しないように形成したものであり、図２に示すように断面略Ｌ字状に形成したものである。
【０００８】
また、敷目板Ｃは図３（ａ）、（ｂ）（図３（ａ）のイ−イ線端面図）に示すように、弾性力に優れ安定した係合力を兼ね備えたアルミ合金の押出品、あるいは合成樹脂材の押出品（例えばポリ塩化ビニル樹脂（ＰＶＣ）、ポリエチレン樹脂（ＰＥ）、ポリプロピレン樹脂（ＰＰ）、ポリカーボネイト樹脂（ＰＣ）、スチロール樹脂、アクリル樹脂、メタクリル樹脂、ポリエステル樹脂、ポリスチレン樹脂、アルキッド樹脂、ポリウレタン、フェノール樹脂、ユリア樹脂（尿素樹脂）、メラミン樹脂、フッ素樹脂、ケイ素樹脂、繊維強化プラスチック、等の一種）、もしくは金属薄板材のロール成型品、等の１種からなるもので、かつ断面を略クランク状に形成したものである。すなわち、敷目板Ｃは略断面を垂直な固定部１と、固定部１の下端近傍を固定部１の延長線に対して略９０°以上で屈曲した係合部２とから形成したものである。
【０００９】
固定部１は図１に示すように、釘等の固定具βにより壁下地αに固定される部分であると共に、上部の乾式壁材Ｅを当接する部分である。また、１ａは固定部１に形成した防水ヒレであり、敷目板Ｃが硬質の合成樹脂により形成されている場合には軟質の合成樹脂により形成したものである。
【００１０】
係合部２は固定部１の下端を外方に屈曲させて形成したものであり、その上下の乾式壁材Ｅの端部を当接するガイドとなると共に、後記する化粧カバーＤを一体化する部分である。さらに詳説すると、係合部２は上面３と下面４とから形成した断面略Ｕ字状の係合溝５と、係合溝５内に複数段形成した鋸刃状の係合爪６と、上面３の先端を上方に突出した突出面７と、固定部１の下端を外方に突出した載置面８と載置面８に先端を下方に垂下した垂下面９と、垂下面９に一定ピッチで複数個形成した流水孔１０とからなるものである。
【００１１】
また、４ａは傾斜面であり、敷目板Ｃに化粧カバーＤを嵌合し易くするために形成したものである。
【００１２】
載置面８は乾式壁材Ｅの下端部分を当接する部分であり、万が一に内部に浸入した雨水等に端部が接触しないようにし、吸水を防止するものである。
【００１３】
化粧カバーＤは図４（ａ）、（ｂ）（図４（ａ）のロ−ロ線端面図）に示すように金属薄板（例えば鉄、アルミニウム、銅、ステンレス、チタン、アルミ・亜鉛合金メッキ鋼板、ホーロー鋼板、クラッド鋼板、ラミネート鋼板（塩ビ鋼板等）、サンドイッチ鋼板（制振鋼板等）、等（勿論、これらを各種色調に塗装したカラー金属板を含む）の一種）、あるいはアルミ合金等の押出材等の長尺体で弾力性（スプリングバック）のある材料を断面略Ｌ字状に形成したものであり、主に乾式壁材Ｅの下端部、所謂、窓上部、横目地部、土台部等を覆い、乾式壁材Ｅの下端部表面が変形するのを防止したり、下端部部分の変形を被覆したり、乾式壁材Ｅの固定を強化する固定具βが乾式壁材Ｅの表面に露出するのを覆い美観を向上したりすると共に、釘頭、乾式壁材Ｅ端縁等の錆、汚れを防止するためのものである。
【００１４】
勿論、上段の乾式壁材Ｅからの汚れの流れを下段の乾式壁材Ｅに影響しないようにすること、等の機能もある。また、敷目板Ｃと化粧カバーＤの係合により弾力下で乾式壁材Ｅの端部を挟持し、固定力を強化するのに役立つものである。
【００１５】
さらに具体的に説明すると、化粧カバーＤは略断面を垂直な化粧面１１と化粧面１１の上下端を内方に傾斜して屈曲した傾斜化粧面１２と、傾斜化粧面１２の先端を内方に折り返した舌片１３とからなる化粧面部１４と、化粧面１１の略中央を外方に突出した係止面１６と、係止面１６に複数個突出した係止爪１７よりなる係止部１５とからなるものである。
【００１６】
化粧面部１４は乾式壁材Ｅの下端部、所謂、窓上部、横目地部、土台部、等を覆い、乾式壁材Ｅの下端部表面が変形するのを防止したり、下端部部分の変形を被覆したり、乾式壁材Ｅの固定を強化する固定具βが乾式壁材Ｅの表面に露出するのを覆い美観性を向上したりすると共に、釘頭、乾式壁材Ｅ端縁等の錆、汚れが外部に露出するのを防止するためのものである。
【００１７】
また、傾斜化粧面１２は傾斜して形成することにより、乾式壁材Ｅに常時弾力が付加された状態で接触するために、上部の乾式壁材Ｅと化粧カバーＤとの納まりが大変良いと共に、乾式壁材Ｅが合成樹脂発泡体を芯材とする金属系サイディング材の場合には、金属系サイディング材の下端の変形（凸状の変形等）を目立たなくするものである。
【００１８】
係止面１６は敷目板Ｃの係合溝５内に挿入される部分であり、係止面１６の先端には図４（ｂ）に示すように、ルーバー加工、ハーフピアス加工、ボタンパンチ加工、等で適宜ピッチで突出させて形成した係止爪１７を形成したものである。係止爪１７は図１に示すように敷目板Ｃの係合爪６と係合し、敷目板Ｃに化粧カバーＤを係止するものである。また、係止爪１７の大きさ（幅）は３ｍｍ〜５０ｍｍ位、形成ピッチは３０ｍｍ〜３００ｍｍ位である。
【００１９】
乾式壁材Ｅは図５に一例を示すような金属系サイディング材（金属薄板Ｅ1 とシート状物Ｅ2 間に合成樹脂発泡体等の芯材をＥ3 形成したもの）、あるいは窯業系サイディング材、金属板、断熱パネル、ＡＬＣ板、ＰＣ板、レンガ、タイル、等の一種よりなるものである。
【００２０】
次に本発明に係る端部構造の施工例について説明する。まず、カラー鋼板よりなる金属薄板Ｅ1 とシート状のシート状物Ｅ2 間に合成樹脂発泡体（プラスチックフォーム）よりなる芯材Ｅ3 を一体に形成したサンドイッチ構造の乾式壁材Ｅを縦張りして窓上を形成すると仮定する。そこで金属薄板よりなる水切りＡをサッシ上部に固定し、次に、図１に示すようにサッシ上部の所定位置に、敷目板Ｃの固定部１を壁下地αに沿って釘等の固定具βを介して水平方向に固定し、施工する。
【００２１】
敷目板Ｃの施工が完了したら、上段の乾式壁材Ｅを敷目板Ｃの固定部１上に当接し、固定具βにより順次固定する。上段の乾式壁材Ｅの施工が完了したら、化粧カバーＤの係止面１６を敷目板Ｃの係合溝５内に嵌挿し係合爪６と係止爪１７との係合、係止により化粧カバーＤを固定し施工を完了するものである。勿論、点線で示すように固定具βで乾式壁材Ｅを固定しても良く、この場合でも固定具βが外部に露出することがない。
【００２２】
【その他の実施例】
以上説明したのは本発明に係る端部構造の一実施例にすぎず、水切りＡを図６（ａ）〜（ｃ）、敷目板Ｃを図７（ａ）〜（ｆ）、化粧カバーＤを図８（ａ）〜（ｆ）に示すように形成することもできる。特に、図７（ｄ）〜（ｆ）は水切りＡを使用しなくとも防水性を強化して使用できる敷目板Ｃである。勿論、使用場所によって使い分けるものである。
【００２３】
また、図９（ａ）〜（ｃ）は端部材Ｂを金属薄板のロール成型品により形成したものであり、連結した状態を示すものである。
【００２４】
図１０（ａ）〜（ｇ）は乾式壁材Ｅのその他の実施例を示す断面図である。
【００２５】
図１１は中間水切り部分を示す断面図、図１２は土台水切り部分を示す断面図である。また、図１３は水切りＡを形成しないサッシ上部の端部構造を示すものである。
【００２６】
【発明の効果】
上述したように本発明に係る端部構造によれば、▲１▼乾式壁材を脳天打ちして固定した釘頭が外装面に露出せず、乾式壁材端部の変形、特に合成樹脂発泡体を芯材とするサンドイッチ板では凸状を確実に抑制できる。▲２▼敷目板の載置面が上部の乾式壁材下端をガイドできるので施工が容易である。▲３▼乾式壁材を施工した後に化粧カバーを敷目板に係合するだけで乾式壁材を挟持できるので、装着が極めて容易である。▲４▼敷目板に流水孔を複数個形成したために、雨水が速やかに外部に排出され、化粧カバーに流水孔をあけることがなく、化粧カバーが錆びることがない。▲５▼載置面を形成したために乾式壁材の下端が雨水等に接触せず、合成樹脂発泡体（特にフェノールフォーム）を芯材とする乾式壁材の芯材が吸水することがない。等の特徴、効果がある。
【図面の簡単な説明】
【図１】本発明に係る端部構造の代表例を示す断面図である。
【図２】本発明に係る端部構造に使用する水切りの一例を示す説明図である。
【図３】本発明に係る端部構造に使用する敷目板の一例を示す説明図である。
【図４】本発明に係る端部構造に使用する化粧カバーの一例を示す説明図である。
【図５】本発明に係る端部構造に使用する乾式壁材の一例を示す断面図である。
【図６】本発明に係る端部構造に使用する敷目板のその他の実施例を示す断面図である。
【図７】本発明に係る端部構造に使用する水切りのその他の実施例を示す断面図である。
【図８】本発明に係る端部構造に使用する化粧カバーのその他の実施例を示す断面図である。
【図９】本発明に係る端部構造に使用する端部材のその他の実施例を示す断面図である。
【図１０】本発明に係る端部構造に使用する乾式壁材のその他の実施例を示す断面図である。
【図１１】本発明に係る端部構造のその他の実施例を示す断面図である。
【図１２】本発明に係る端部構造のその他の実施例を示す断面図である。
【図１３】本発明に係る端部構造のその他の実施例を示す断面図である。
【符号の説明】
α  壁下地
β  固定具
Ａ  水切り
Ｂ  端部材
Ｃ  敷目板
Ｄ  化粧カバー
Ｅ  乾式壁材
Ｅ1   金属薄板
Ｅ2   シート状物
Ｅ3   芯材
１  固定部
１ａ  防水ヒレ
２  係合部
３  上面
４  下面
４ａ  傾斜面
５  係合溝
６  係合爪
７  突出面
８  載置面
９  垂下面
１０  流水孔
１１  化粧面
１２  傾斜化粧面
１３  舌片
１４  化粧面部
１５  係止部
１６  係止面
１７  係止爪
【図１】
0003659363.tif 000002
【図２】
0003659363.tif 000003
【図３】
0003659363.tif 000004
【図４】
0003659363.tif 000005
【図５】
0003659363.tif 000006
【図６】
0003659363.tif 000007
【図７】
0003659363.tif 000008
【図８】
0003659363.tif 000009
【図９】
0003659363.tif 000010
【図１０】
0003659363.tif 000011
【図１１】
0003659363.tif 000012
【図１２】
0003659363.tif 000013
【図１３】
0003659363.tif 000014